(57)【要約】【課題】この発明は、録画予約番組に対してユーザによって設定された保持期間（視聴可能期限）に基づいて、保持期間が満了した録画番組の録画内容を自動的に削除することができるデジタル放送対応受信装置を提供することを目的とする。【解決手段】録画内容を記録するためのＨＤＤが内蔵されたデジタル放送対応受信装置において、番組の録画予約時に、当該録画予約番組の録画内容の保持期間をユーザに設定させる第１手段、録画予約の実行時に、当該録画予約番組に対して設定されている録画内容の保持期間を、当該録画予約番組の管理制御情報としてＨＤＤに記憶する第２手段、および管理制御情報に基づいて、保持期間が満了した録画番組の録画内容を自動的に削除する第３手段を備えていることを特徴とする。【選択図】図１
2008098721.tif 000002
【特許請求の範囲】
【請求項１】
録画内容を記録するためのＨＤＤが内蔵されたデジタル放送対応受信装置において、番組の録画予約時に、当該録画予約番組の録画内容の保持期間をユーザに設定させる第１手段、録画予約の実行時に、当該録画予約番組に対して設定されている録画内容の保持期間を、当該録画予約番組の管理制御情報としてＨＤＤに記憶する第２手段、および管理制御情報に基づいて、保持期間が満了した録画番組の録画内容を自動的に削除する第３手段を備えていることを特徴とするデジタル放送対応受信装置。
【請求項２】
記録が禁止されているが一定期間の一時蓄積が可能な番組が録画予約されたときには、当該録画予約番組の録画内容の保持期間を自動的に設定する第４手段を備えていることを特徴とする請求項１に記載のデジタル放送対応受信装置。
【請求項３】
管理制御情報に基づいて、自動消去時期が接近した録画番組が存在するか否かを監視し、自動消去時期が接近した録画番組が存在する場合には、その録画番組の消去時期が接近している旨を表示する第５手段を備えていることを特徴とする請求項１乃至２に記載のデジタル放送対応受信装置。
【発明の詳細な説明】
【技術分野】
【０００１】
この発明は、録画内容を記録するためのＨＤＤが内蔵されたデジタル放送対応受信装置に関する。
【背景技術】
【０００２】
ＨＤＤを利用した記録機器において、デジタル放送対応の機器が増えてきている。デジタル放送にはハイビジョン放送やデータ放送があり、デジタル放送番組を記録する場合には、一般的なアナログ放送より記録容量が多くなるのが現状である。
【０００３】
従来の磁気テープや光ディスクを使用した記録機器においては、記録メディアを交換する必要があるため、手間がかかるという問題があるが、ＨＤＤ内蔵の記録機器においては、記録メディアを交換する必要はない。しかしながら、ＨＤＤ内蔵の記録機器においては、利用者によって記録データの消去処理を行なわなければ、ＨＤＤ内の記録領域が不足してしまい、新たな記録が行なえなくなるという問題がある。
【０００４】
デジタル放送対応の記録機器においては、利用者がＥＰＧなどから番組を指定して予約録画を行なうような予約機能の他に、予めキーワードや出演者などを登録しておき、登録しているキーワードや出演者などを含む番組を自動的に録画する機能を備えているものがある。このような記録機器においては、利用者の意図しないところで、記録データ量が増加するので、記録データの消去手順の簡略化が重要な課題となっている。
【特許文献１】特開2003-9068
【発明の開示】
【発明が解決しようとする課題】
【０００５】
この発明は、録画予約番組に対してユーザによって設定された保持期間（視聴可能期限）に基づいて、保持期間が満了した録画番組の録画内容を自動的に削除することができるデジタル放送対応受信装置を提供することを目的とする。
【０００６】
また、この発明は、記録が禁止されているが一定期間の一時蓄積が可能な番組が録画された場合には、その番組に対して定められている一定の蓄積期間が経過したときに、その録画内容を自動的に削除することができるデジタル放送対応受信装置を提供することを目的とする。
【０００７】
また、この発明は、自動消去時期が接近した録画番組が存在する場合には、その録画番組の消去時期が接近していることをユーザに通知することができるデジタル放送対応受信装置を提供することを目的とする。
【課題を解決するための手段】
【０００８】
請求項１に記載の発明は、録画内容を記録するためのＨＤＤが内蔵されたデジタル放送対応受信装置において、番組の録画予約時に、当該録画予約番組の録画内容の保持期間をユーザに設定させる第１手段、録画予約の実行時に、当該録画予約番組に対して設定されている録画内容の保持期間を、当該録画予約番組の管理制御情報としてＨＤＤに記憶する第２手段、および管理制御情報に基づいて、保持期間が満了した録画番組の録画内容を自動的に削除する第３手段を備えていることを特徴とするデジタル放送対応受信装置。
【０００９】
請求項２に記載の発明は、請求項１に記載の発明において、記録が禁止されているが一定期間の一時蓄積が可能な番組が録画予約されたときには、当該録画予約番組の録画内容の保持期間を自動的に設定する第４手段を備えていることを特徴とする。
【００１０】
請求項３に記載の発明は、請求項１乃至２に記載の発明において、管理制御情報に基づいて、自動消去時期が接近した録画番組が存在するか否かを監視し、自動消去時期が接近した録画番組が存在する場合には、その録画番組の消去時期が接近している旨を表示する第５手段を備えていることを特徴とする。
【発明の効果】
【００１１】
この発明によれば、録画予約番組に対してユーザによって設定された保持期間（視聴可能期限）に基づいて、保持期間が満了した録画番組の録画内容を自動的に削除することができるようになる。
【００１２】
また、この発明によれば、記録が禁止されているが一定期間の一時蓄積が可能な番組が録画された場合には、その番組に対して定められている一定の蓄積期間が経過したときに、その録画内容を自動的に削除することができるようになる。
【００１３】
また、この発明によれば、自動消去時期が接近した録画番組が存在する場合には、その録画番組の消去時期が接近していることをユーザに通知することができるようになる。
【発明を実施するための最良の形態】
【００１４】
以下、図面を参照して、この発明をデジタル放送対応受信装置に適用した場合の実施例について説明する。
【実施例１】
【００１５】
図１は、ＨＤＤ内蔵のデジタル放送対応受信装置の構成を示している。
【００１６】
このデジタル放送対応受信装置は、デジタルテレビ放送を受信し、受信したデジタルテレビ放送番組の映像・音声を出力したり、ＨＤＤに記録したりする機能を備えている。また、ＨＤＤに記録した映像・音声を再生する機能を備えている。さらに、ＨＤＤに記録したコンテンツファイルを自動的に消去する機能（自動消去機能）も備えている。
【００１７】
デジタル放送対応受信装置は、デジタルチューナ１、ＴＳセレクタ（TS Selector)２、デスクランブラー（Descrambler)３、デマックス（Demux)４、ＡＶデコーダ（AV Decorder)５、ＯＳＤ６、モニタ７、ＮＴＳＣエンコーダ（NTSC Encorder)８、スイッチャー９、外部出力端子１０、ＴＳリマックス（TS Remux) １１、ＨＤＤコントローラ（HDD Controler)１２、ＨＤＤ１３、ＩＣカード( ICCARD) １４およびＣＰＵ２０を備えている。
【００１８】
デジタルチューナ１、ＴＳセレクタ２、デスクランブラー３、デマックス４、ＡＶデコーダ５、ＯＳＤ６、スイッチャー９、ＴＳリマックス１１、ＨＤＤコントローラ１２およびＩＣカード１４は、ＣＰＵ２０によって制御される。ＣＰＵ２０は、ＲＯＭ２１、ＲＡＭ２２、ＮＶＲＡＭ２３を備えている。また、ＣＰＵ２０には、図示しないリモコンからのリモコン信号が図示しないリモコン信号受光器を介して入力される。
【００１９】
〔１〕デジタル放送の受信処理について説明
【００２０】
デジタル放送においては、複数のサービス（アナログ放送のチャンネルに相当する）が１つのトランスポートストリーム（ＴＳ）によって伝送されており、このＴＳ単位でチューナの制御に必要な周波数情報などが一意に決まっている。ＴＳと周波数情報等との対応関係は、ネットワークインフォメーションテーブル（ＮＩＴ）と呼ばれるテーブルに記述されている。ネットワークインフォメーションテーブル（ＮＩＴ）は、ネットワーク単位で伝送されている。
【００２１】
デジタルチューナ１は、所望のサービスに対して対応する周波数／トランスポートストリームＩＤ（ＴＳ＿ＩＤ）の制御を行うことにより、所望のサービスを含むＴＳを出力する。デジタルチューナ１から出力されたＴＳは、ＴＳセレクタ２を介してデスクランブラー３に送られる。デスクランブラー３は、ＩＣカード１４を用いてＴＳに対してデスクランブル処理を行う。デスクランブラー３によってデスクランブル処理が行なわれたＴＳは、デマックス４に送られる。
【００２２】
デマックス４は、入力されたＴＳから所望のサービスに対応する映像／音声などのエレメンタリーストリーム（ＥＳ）を分離する。ＥＳには、個別のパケットＩＤ（ＥＳ＿ＰＩＤ）が付加されており、所望のサービスとそれに対応するＥＳ＿ＰＩＤとの対応関係は、プログラムマッサピングテーブル（ＰＭＴ）と呼ばれるテーブルによって伝送されている。ＰＭＴはＴＳ内に伝送されているサービス分伝送されているが、そのＰＩＤはプログラムアソシエーションテーブル（ＰＡＴ）と呼ばれるテーブルによって示されている。ＰＡＴのＰＩＤは固定で決まっており、またＴＳには１つのＰＡＴのみが伝送される。
【００２３】
したがって、所望のサービスに対応するＥＳを分離するには、まず、ＰＡＴを取得する。ＰＡＴの取得完了後に、ＰＡＴを解析することにより、所望のサービスに対応するＰＭＴ＿ＰＩＤを確定し、所望のサービスに対応するＰＭＴを取得することができる。ＰＭＴの取得完了後に、ＰＭＴを解析することにより、所望のサービスに対応するＥＳのＰＩＤが確定し、所望のサービスに対応するＥＳを分離することができる。
【００２４】
デマックス４によって得られたＥＳがＡＶデコーダ５に送られて、ＡＶデコード処理が行われることにより、所望のサービスに対応する映像／音声信号が得られる。
【００２５】
ＡＶデコーダ５によって得られた映像信号は、ＯＳＤ６からのオンスクリーン画像信号と合成された後、モニタ７に送られて表示される。ＡＶデコーダ５によって得られた音声信号は、図示しないスピーカから出力される。また、ＡＶデコーダ５によって得られた映像／音声信号は、ＮＴＳＣエンコーダ８およびスイッチャー９を介して外部出力端子（録画用端子）１０に出力される。
【００２６】
デマックス４によって得られたＥＳ等は、ＴＳリマックス１１およびＨＤＤコントローラ１２を介してＨＤＤ１３に格納される。ＴＳリマックス１１は、選局されたサービスに対応するＰＡＴ、ＰＭＴ、デスクランブル処理が行われているＥＳとＰＣＲで構成されるパーシャルトランスポートストリーム（ＰＴＳ）と呼ばれる部分ＴＳを出力する。ＨＤＤコントローラ１２は、このＰＴＳをＨＤＤ１３に書き込む。なお、ＰＴＳに含まれるＰＡＴは、取得されたＰＡＴから選択サービス以外の記述を削除したＰＡＴである。また、ＰＴＳに含まれるＰＭＴは、取得されたＰＭＴから選択されたＥＳ／ＰＣＲ以外の記述を削除したＰＭＴである。
【００２７】
〔２〕記録済ファイルの再生処理についての説明
【００２８】
記録済ファイルを再生する場合には、ＣＰＵ２０は、ユーザからの指令に基づいて、ＨＤＤ１３に記録されているファイルの一覧を表示し、再生を行うファイルをユーザに選択させる。ＣＰＵ２０は、選択されたファイルの管理制御情報から、ＨＤＤコントローラ１２、ＴＳセレクタ２を介してデマックス４に送出するストリーム（ＰＴＳ）と、そのストリームの読み出し位置とを決定し、ＨＤＤコントローラ１２にＰＴＳの読み出しを開始させる。
【００２９】
ＨＤＤコントローラ１２によってＨＤＤ１３から読み出されたＰＴＳは、ＴＳセレクタ２を介してデマックス４に送られる。デマックス４は、通常のデジタル放送のデコード処理と同様に、ＰＴＳ中のＰＡＴを取得し、その後ＰＭＴを取得し、ＰＭＴ中のＥＳを抽出するが、ＰＴＳ中のＰＡＴにはサービスの記述は１つのみ、すなわち、ストリーム中にＰＭＴは１つしか含まれていないので、ＰＭＴ取得が完了した後に、対応するＥＳをＡＶデコーダ５に送ればよい。なお、ＰＴＳ内のＥＳはデスクランブル処理の必要のないノンスクランブルのＥＳである。
【００３０】
ＡＶデコーダ５は、デマックス４から送られたＥＳに対して、ＡＶデコード処理を行なう。これにより、映像／音声信号が得られる。ＡＶデコーダ５によって得られた映像信号は、ＯＳＤ６からのオンスクリーン画像信号と合成された後、モニタ７に送られて表示される。ＡＶデコーダ５によって得られた音声信号は、図示しないスピーカから出力される。
【００３１】
また、ＡＶデコーダ５によって得られた映像／音声信号は、ＮＴＳＣエンコーダ８およびスイッチャー９を介して外部出力端子（録画用端子）１０に出力される。
【００３２】
〔３〕自動消去機能についての説明
【００３３】
〔３−１〕デフォルト設定
ユーザは、自動消去に関して、メニュー画面上で、次のような基本的な設定（デフォルト設定）を行なうことができる。
（ａ）自動消去を行なうか否か
（ｂ）自動消去を行うまでの保持期間
（ｃ）自動消去前の通知設定
【００３４】
上記（ａ）においては、自動消去を行なわないを選択した場合には、自動消去は行なわれない。自動消去を行なう場合には、上記（ｂ）により、録画開始時刻から自動消去を行うまでの保持期間のデフォルト値を設定することができる。この例では、１時間３０分／３時間／６時間／１２時間／１日／２日／１週間のうちから、デフォルト値を設定できるようになっている。後述するように、録画予約番組毎にそのコンテンツの視聴可能期限( コンテンツ保持期間) をユーザが設定することを基本とするが、特に指定しない場合にデフォルト設定の内容が適用される。
【００３５】
上記（ｃ）では、自動警告をしない、１時間以内または１日以内のいずれかを選択することができる。１時間以内または１日以内が選択された場合には、スタンバイからの起動時などに、コンテンツの自動削除までの日時が迫っているものを特定し、ユーザに対して早期に視聴を行なう旨等のメッセージが表示される。
【００３６】
〔３−２〕録画予約時の自動消去設定
ユーザは、録画予約時に、録画予約番組に対するコンテンツ保持期間を設定することができる。具体的には、録画予約時には次のような項目を選択するための設定画面が表示されるので、ユーザはその設定画面上で、録画予約番組に対するコンテンツ保持期間を設定する。
（ｄ）コンテンツ保持期間を設定しない
（ｅ）１時間３０分／３時間／６時間／１２時間
（ｆ）１日／２日
（ｇ）１週間
【００３７】
上記（ｂ）によってデフォルト値が設定されている場合には、この設定画面が表示された際には、（ｅ）、（ｆ）、（ｇ）によって選択可能な保持期間の選択項目のうち、デファルト値に対応する選択項目が選択された状態となっている。上記（ｄ）を選択した場合には、コンテンツ保持期間は設定されない。なお、記録が禁止されているが一定期間の一時蓄積が可能な番組が録画予約されたときには、当該録画予約番組の録画内容の保持期間として、その番組に対して定められている一定の蓄積期間が自動的に設定される。
【００３８】
録画予約操作によって入力された録画予約情報（サービスならびに録画開始および終了時刻を特定するための情報とコンテンツ保持期間とを含む録画予約情報）は、ＮＶＲＡＭ２３に登録される。
【００３９】
〔３−３〕録画予約実行開始時に生成されるデータ
録画予約実行時には、コンテンツファイルの保存位置、コンテンツの記録日時、記録時間、コンテンツ保持期間等を管理する管理制御情報が生成されてＨＤＤ１３に格納される。管理制御情報を生成するにあたっては、予約を実行しようとする録画予約番組に対応する録画予約情報が参照される。
【００４０】
したがって、ＨＤＤ１３には、図２に示すように、各録画番組毎のコンテンツファイルと、管理制御情報を記憶した制御ファイル（control file) とが格納される。管理制御情報には、各コンテンツファイル毎に、コンテンツナンバー（content ＿no) 、ロケーション(location)  、再生可能時間(duration)、理由(reason)、記録日時（図示略）、記録時間（図示略）等がある。
【００４１】
ロケーションは、コンテンツファイルの保存位置を表す情報である。再生可能時間は、コンテンツ保持期間を表す情報である。なお、durationの" ０（no available)"  は、保持期間が設定されなかった場合、つまり、自動削除の対象とならない場合を表している。理由は、コンテンツ保持期間が設定された理由を示している。理由には、”０”、”１”、”２”の３種類がある。”０”は、ユーザによって保持期間が設定されなかった場合を、”１”はユーザによってコンテンツ保持期間が設定された場合を、”２”はコンテンツ提供者（放送局）によって一時蓄積のみ許可された場合を、それぞれ示している。
【００４２】
以下、図３、図４および図５を参照して、ＣＰＵ２０によって実行される自動削除処理について説明する。
【００４３】
図３は、初期電源ＯＮ時にＣＰＵ２０によって行なわれる処理手順を示している。
初期電源ＯＮ（主電源ＯＮ）時には、まず、各種初期化処理が行なわれる（ステップＳ１）。次に、ＲＴＣ時刻情報が有るか否かを判別する（ステップＳ２）。ＲＴＣ時刻情報が有る場合には、ＯＳ側で計時を行なうために、ＲＴＣの時刻情報を読み込む（ステップＳ３）。そして、ＨＤＤ１３内のコントロールファイルを読み込む（ステップＳ４）。コントロールファイルの内容に基づく、消去接近／消去対象一覧データ作成処理を行なう（ステップＳ５）。
【００４４】
つまり、コンテンツファイルの自動削除までの日時が迫っているものが存在していれば、それらのコンテンツファイルの一覧を表すデータを消去接近一覧データとして作成する。具体的には、現在時刻から自動消去前の通知設定（上記（ｃ））によって設定された時間が経過するまでの間に、自動削除されるべきコンテンツファイルが存在していれば、それらのコンテンツファイルの一覧を表すデータを消去接近一覧データとして作成する。また、現在時刻以前に自動削除されるべきコンテンツファイルが存在していれば、それらのコンテンツファイルの一覧を表すデータを、消去対象一覧データとして作成する。
【００４５】
ステップＳ５の処理が終了すると、ステップＳ６に移行する。上記ステップＳ２において、ＲＴＣ時刻情報が無い場合には、ステップＳ６に移行する。ステップＳ６では、初期選局処理を行なう。そして、コントロールファイルが読み込み済であるか否かを判別する（ステップＳ７）。コントロールファイルが読み込み済でない場合には、ＯＳ側で計時を行なうために、放送波によって時刻情報が送られてくるのを待機した後（ステップＳ８）、放送波から時刻情報を取得する（ステップＳ９）。そして、ＨＤＤ１３内のコントロールファイルを読み込む（ステップＳ１０）。コントロールファイルの内容に基づく、消去接近／消去対象一覧データ作成処理を行なう（ステップＳ１１）。そして、ステップＳ７に戻る。
【００４６】
上記ステップＳ７において、コントロールファイルが読み込み済であると判別した場合には、消去対象一覧データが作成されているか否かを判別する（ステップＳ１２）。消去対象一覧データが作成されている場合には、消去対象のコンテンツファイルを消去する（ステップＳ１３）。そして、消去したファイルとともにそれらのファイルを消去したことを示す消去メッセージを表示する（ステップＳ１４）。また、ファイルを消去したことに伴い、コントロールファイルを再構成する（ステップＳ１５）。そして、再構成後のコントロールファイルを読み込む（ステップＳ１６）。この後、消去対象一覧データを消去する（ステップＳ１７）。そして、ステップＳ１８に進む。
【００４７】
上記ステップＳ１２において、消去対象一覧データが作成されていないと判別した場合は、ステップＳ１８に進む。ステップＳ１８では、消去接近一覧データが作成されているか否かを判別する。消去接近一覧データが作成されている場合には、自動消去が接近している各ファイルそれぞれについて、「〜がｘ時間後に消去されます」といった警告メッセージを表示する（ステップＳ１９）。そして、定期状態監視処理に移行する。上記ステップＳ１８において、消去接近一覧データが作成されていないと判別した場合には、定期状態監視処理に移行する。
【００４８】
図４は、定期状態監視処理の手順を示している。
まず、時刻（分の単位）が更新されるのを待機する（ステップＳ２１）。時刻（分の単位）が更新されると、既に作成された消去接近一覧データが存在するか否かを判別する（ステップＳ２２）。既に作成された消去接近一覧データが存在しないと判別した場合には、コントロールファイルの内容に基づく、消去接近一覧データ作成処理を行なう（ステップＳ２３）。つまり、現在時刻から自動消去前の通知設定（上記（ｃ））によって設定された時間が経過するまでの間に、自動削除されるべきコンテンツが存在していれば、それらのコンテンツの一覧を表すデータを消去接近一覧データとして作成する。
【００４９】
そして、消去接近一覧データが作成されたか否かを判別する（ステップＳ２４）。消去接近一覧データが作成されなかった場合には、ステップＳ２１に戻る。消去接近一覧データが作成された場合には、自動消去が接近している各ファイルそれぞれについて、「〜がｘ時間後に消去されます」といった警告メッセージを表示した後（ステップＳ２５）、ステップＳ２１に戻る。
【００５０】
上記ステップＳ２２において、既に作成された消去接近一覧データが存在する場合には、その一覧データに含まれている各データ（コンテンツファイルを表すデータ）に対して、以下のステップＳ２６〜Ｓ３１の消去制御処理を行なう。
【００５１】
つまり、消去接近一覧データに含まれているコンテンツファイルのうち処理対象となっているコンテンツファイルを注目ファイルとすると、まず、注目ファイルが消去時刻に到達しているか否かを判別する（ステップＳ２６）。注目ファイルが消去時刻に到達している場合には、注目ファイルが再生中であるか否かを判別する（ステップＳ２７）。注目ファイルが再生中でない場合には、注目ファイルを消去する（ステップＳ２８）。そして、消去したファイルとともにそのファイルを消去したことを示す消去メッセージを表示する（ステップＳ２９）。消去接近一覧データから消去したファイルに対応するデータを削除する（ステップＳ３０）。ファイルの消去が発生したことを保持する（ステップＳ３１）。そして、当該注目ファイルに対する消去制御処理を終了する。
【００５２】
上記ステップＳ２６において、注目ファイルが消去時刻に到達していないと判別した場合には、当該注目ファイルに対する消去制御処理を終了する。上記ステップＳ２７において、注目ファイルが再生中であると判別した場合には、当該注目ファイルに対する消去制御処理を終了する。
【００５３】
消去接近一覧データに含まれている全てのデータ（コンテンツファイルを表すデータ）に対する消去制御処理（ステップＳ２６〜Ｓ３１の処理）が終了すると、上記消去制御処理において、コンテンツファイルの消去が発生したか否かを判別する（ステップＳ３２）。コンテンツファイルの消去が発生したと判別した場合には、コントロールファイルを再構成する（ステップＳ３３）。そして、再構成後のコントロールファイルを読み込む（ステップＳ３４）。そして、ステップＳ３５に移行する。
【００５４】
上記ステップＳ３２において、コンテンツの消去が発生しなかったと判別した場合には、ステップＳ３５に移行する。ステップＳ３５では、既存の消去接近一覧データとは別に、消去接近一覧データを仮作成する。つまり、現在時刻から自動消去前の通知設定（上記（ｃ））によって設定された時間が経過するまでの間に、自動削除されるべきコンテンツが存在していれば、それらのコンテンツの一覧を表すデータを消去接近一覧データとして仮作成する。
【００５５】
そして、仮作成した消去接近一覧データの内容が、既存の消去接近一覧データの内容と異なっているか否かを判別する（ステップＳ３６）。両消去接近一覧データの内容が一致している場合には、ステップＳ２１に戻る。一方、両消去接近一覧データの内容が異なっている場合には、その差分に該当する各ファイルそれぞれについて、「〜がｘ時間後に消去されます」といった警告メッセージを表示する（ステップＳ３７）。この後、既存の消去接近一覧データの内容を仮作成した消去接近一覧データの内容に更新する（ステップＳ３８）。そして、ステップＳ２１に戻る。
【００５６】
図５は、再生指令が入力された場合のＣＰＵ２０による処理手順を示している。
再生指令が入力されると、再生ファイルを選択して再生を開始する（ステップＳ４１）。そして、再生が終了すると（ステップＳ４２）、再生したファイルの保持期間が満了したか否かを判別する（ステップＳ４３）。再生したファイルの保持期間が満了していない場合には、今回の処理を終了する。
【００５７】
再生したファイルの保持期間が満了している場合には、再生が終了したファイルを消去する（ステップＳ４４）。そして、消去したファイルとともにそのファイルを消去したことを示す消去メッセージを表示する（ステップＳ４５）。また、ファイルを消去したことに伴い、コントロールファイルを再構成する（ステップＳ４６）。そして、再構成後のコントロールファイルを読み込む（ステップＳ４７）。そして、今回の処理を終了する。
【図面の簡単な説明】
【００５８】
【図１】ＨＤＤ内蔵のデジタル放送対応受信装置の構成を示すブロック図である。
【図２】ＨＤＤ１３に格納されるコンテンツファイルと制御ファイルとを示す模式図である。
【図３】初期電源ＯＮ時にＣＰＵ２０によって行なわれる処理手順を示すフローチャートである。
【図４】定期状態監視処理の手順を示すフローチャートである。
【図５】再生指令が入力された場合のＣＰＵ２０による処理手順を示すフローチャートである。
【符号の説明】
【００５９】
１  デジタルチューナ
２  ＴＳセレクタ（TS Selector)
３  デスクランブラー（Descrambler)
４  デマックス（Demux)
５  ＡＶデコーダ（AV Decorder)
６  ＯＳＤ
７  モニタ
１１  ＴＳリマックス（TS Remux) 
１２  ＨＤＤコントローラ（HDD Controler)
１３  ＨＤＤ
２０  ＣＰＵ
２１  ＲＯＭ
２２  ＲＡＭ
２３  ＮＶＲＡＭ
【図１】
2008098721.tif 000003
【図２】
2008098721.tif 000004
【図３】
2008098721.tif 000005
【図４】
2008098721.tif 000006
【図５】
2008098721.tif 000007